(57)【要約】【課題】  異音や摩耗を低減したプランジャポンプを提供する。【解決手段】  プランジャの往復運動によって吸込弁および吐出弁が選択的に開閉されることで作動液を吸い込み、吐出するプランジャポンプにおいて、ガイド部材のみによって、プランジャの軸方向往復運動を支持することとした。【選択図】      図２
2008215329.tif 000002
【特許請求の範囲】
【請求項１】
作動液を吸い込む吸込弁と、
前記作動液を吐出する吐出弁と、
ハウジング内部に形成されたハウジング孔と、
前記ハウジング孔に収容され、軸方向に往復運動するプランジャと、
前記吸込弁、前記吐出弁、および前記プランジャからなるポンプ組立体と、
前記ハウジング内部であって前記ハウジング孔に連通する部屋内に設けられ、前記プランジャを駆動するプランジャ駆動部材と、
前記ハウジング孔であって前記部屋側の位置に設けられ、前記プランジャを軸方向摺動可能に支持するガイド部材と、
前記ハウジング孔から前記部屋への作動液の漏出をシールするシール部材と
を備え、
前記プランジャの往復運動によって前記吸込弁および前記吐出弁が選択的に開閉されることで前記作動液を吸い込み、吐出するプランジャポンプにおいて、
前記ガイド部材のみによって、前記プランジャの軸方向往復運動を支持すること
を特徴とするプランジャポンプ。
【発明の詳細な説明】
【技術分野】
【０００１】
本発明は、プランジャポンプに関する。
【背景技術】
【０００２】
従来、プランジャポンプにあっては、プランジャが軸方向往復運動する際、このプランジャの軸方向先端側に位置するガイド部材によってプランジャの径方向を支持するとともに、プランジャ自身がわずかに傾斜してシリンダに摺接することで、プランジャの径方向を支持している。
【特許文献１】特開２００５−２７３５８１号公報
【発明の開示】
【発明が解決しようとする課題】
【０００３】
しかしながら上記従来技術にあっては、プランジャとシリンダとが摺接するため異音や摩耗が発生するという問題があった。
【０００４】
本発明は上記問題点に着目してなされたものであり、その目的とするところは、異音や摩耗を低減したプランジャポンプを提供することにある。
【課題を解決するための手段】
【０００５】
上述の目的を達成するため、本発明は、作動液を吸い込む吸込弁と、前記作動液を吐出する吐出弁と、ハウジング内部に形成されたハウジング孔と、前記ハウジング孔に収容され、軸方向に往復運動するプランジャと、前記吸込弁、前記吐出弁、および前記プランジャからなるポンプ組立体と、前記ハウジング内部であって前記ハウジング孔に連通する部屋内に設けられ、前記プランジャを駆動するプランジャ駆動部材と、前記ハウジング孔であって前記部屋側の位置に設けられ、前記プランジャを軸方向摺動可能に支持するガイド部材と、前記ハウジング孔から前記部屋への作動液の漏出をシールするシール部材とを備え、前記プランジャの往復運動によって前記吸込弁および前記吐出弁が選択的に開閉されることで前記作動液を吸い込み、吐出するプランジャポンプにおいて、前記ガイド部材のみによって、前記プランジャの軸方向往復運動を支持することとした。
【０００６】
よって、異音や摩耗を低減したプランジャポンプを提供できる。
【発明を実施するための最良の形態】
【０００７】
以下、本発明のプランジャポンプを実現する最良の形態を、図面に示す実施例に基づいて説明する。
【実施例１】
【０００８】
［プランジャポンプの概要］
図１はプランジャポンプの軸方向断面図である。なお、プランジャポンプの軸方向であってハウジング７表面への開口側をx軸正方向と定義する。
【０００９】
プランジャポンプはハウジング７に設けられたハウジング孔７１内にポンプ組立体１０を挿入することにより形成される。このポンプ組立体１０は図外のフィルタを介して作動液を吸い込む吸込弁ＩＮと、作動液を吐出する吐出弁ＯＵＴと、ｘ軸方向に往復運動するプランジャ４とを有する。プランジャ４のｘ軸方向摺動によって吸込弁ＩＮおよび吐出弁ＯＵＴが選択的に開閉されることで作動液を吸い込み、吐出を行う。
【００１０】
ハウジング孔７１はｘ軸正方向側においてハウジング７表面に開口し、ｘ軸負方向側においてハウジング７内に設けられた部屋２０に開口する。この部屋２０にはプランジャ４をｘ軸正方向に移動させるプランジャ駆動部材３０が収装され、図外のモータ等によって駆動される。
【００１１】
ポンプ組立体１０はプラグ１、シリンダ２を有する。プラグ１はｘ軸正方向側に設けられたカップ状部材であり、内周側に設けられた台座１１によってスプリング２１を介して吐出弁ＯＵＴを支持する。吐出弁ＯＵＴはスプリング２１によってｘ軸負方向側に付勢され、シリンダ２の底部によってｘ軸負方向側を係止される。
【００１２】
シリンダ２はプラグ１のｘ軸負方向側に設けられたカップ状部材であり、底部は開口して吐出弁ＯＵＴと連通するとともに、内周側に吸込弁ＩＮを収装する。シリンダ２はｘ軸負方向側において開口し、ｘ軸負方向側の開口部からプランジャ４が挿入される。また、シリンダ２の側面には径方向貫通孔２５が設けられて外周側と内周側を連通する。さらに、径方向貫通孔２５よりもｘ軸負方向側の内周において、シールリング５、バックアップ部材６、およびガイド部材８を収装する。
【００１３】
吸込弁ＩＮは、シリンダ２内部においてさらにカップ形状のスプリング台座部５１に収容され、スプリング台座部５１内部に設けられたスプリング２２によってｘ軸負方向に付勢されてシールリング５２を介してプランジャ４にｘ軸負方向側を係止される。
【００１４】
スプリング台座部５１は底部が開口して吸込弁ＩＮと吐出弁ＯＵＴと連通するとともに、ｘ軸負方向側の外周部においてスプリング２３によってｘ軸負方向側に付勢される。このスプリング２３はシリンダ２内部に設けられ、シリンダ２の底部に支持される。
【００１５】
プランジャ４にはｘ軸正方向側に開口するｘ軸方向連通孔４１が設けられている。このｘ軸方向連通孔４１はｘ軸負方向側の最深部において径方向貫通孔４２と連通し、シリンダ２の径方向貫通孔２５を介してシリンダ２の外周側と吸込弁ＩＮとを連通する。
【００１６】
シリンダ２の外周側には径方向貫通孔２５が設けられ、プランジャ４の往復運動によってこの吸入口から作動液を吸い込み、吸込弁ＩＮおよび吐出弁ＯＵＴを選択的に開閉することでポンプとして機能する。
【００１７】
上述のように、プランジャ４の外周側であって径方向貫通孔２５のｘ軸負方向側には、ｘ軸正方向側から順にバックアップ部材６、シール部材５、バックアップ部材６、およびガイド部材８が設けられている。
【００１８】
シール部材５、バックアップ部材６、およびガイド部材８はいずれも環状部材であって、ガイド部材８はプランジャ４をｘ軸方向摺動可能に支持し、バックアップ部材６はシール部材５を係止することでガイド部材８とシール部材５の干渉を防止する。
【００１９】
［プランジャの寸法］
図２はプランジャ４の寸法を示す図である。プランジャ４は径Ｄ１の大径部４３と径Ｄ２の小径部４４を有する段付き構造であって（Ｄ１>Ｄ２）、小径部４４がシリンダ２に対し挿入されてガイド部８によって摺動・ガイドされる。
【００２０】
ここで、ガイド部材８のｘ軸方向長さをｌ、大径部４３におけるシリンダとの半径クリアランスをα、ガイド部材８の内周側端点をＡ，Ａ'，Ｂ，Ｂ'とし、端点Ａから大径部４３までのｘ軸方向長さをＬとすると、端点Ａ，Ａ'，Ｂ，Ｂ'とガイド部材８との半径クリアランスをｈとする。
【００２１】
その際、大径部４３とシリンダ２内周とのクリアランスが最小（>０）となる上死点（プランジャ４が最もｘ軸正方向側に位置し、寸法許容範囲内でプランジャ４が最も傾斜する位置）において、プランジャ４の大径部４３とシリンダ２の内周とが接しない条件は
Ｌｓｉｎ｛ｔａｎ−１（２ｈ／ｌ）｝<α
の式によって幾何学的に決定される。
【００２２】
すなわち、ガイド部材８内周の半径をＲ、プランジャ小径部４４の半径をｒとすると、
ｈ＝Ｒ−ｒ
であるから、上式は
Ｌｓｉｎ〔ｔａｎ−１｛２（Ｒ−ｒ）／ｌ｝〕<α・・・（ア）
と表される。
【００２３】
このような関係を満たすことにより、プランジャ４が最も傾斜する上死点に位置する場合であってもプランジャ４とシリンダ２との接触が回避される。
【００２４】
また、ガイド部材８はシリンダ２に位置決めされる一方、プランジャ４の大径部４３（胴部）とシリンダ２間のクリアランスαは、プランジャ小径部４４とガイド部材８の間のクリアランスｈよりも大きく設けられる。
【００２５】
このためシリンダ２に対してガイド部材８とピストンが位置決めされるため、同軸度が出しやすく、よりピストンとシリンダ２との摺接が抑制される。
【００２６】
図３は本願、図４は従来例の上死点におけるプランジャ４の傾斜を示す図である。従来例のガイド部材８'では上記（ア）の関係が満たされていないため上死点においてプランジャ４とシリンダ２内周とが当接し、摺動抵抗の増加および音振の原因となっていたが、本願では上記（ア）式を満たすため、プランジャ４がｘ軸方向に摺動した際にもプランジャ４とシリンダ２との接触は回避される。
【００２７】
［実施例１の効果］
（１）作動液を吸い込む吸込弁ＩＮと、作動液を吐出する吐出弁ＯＵＴと、ハウジング７内部に形成されたハウジング孔７１と、ハウジング孔７１に収容され、軸方向に往復運動するプランジャ４と、吸込弁ＩＮ、吐出弁ＯＵＴ、およびプランジャ４からなるポンプ組立体１０と、ハウジング７内部であってハウジング孔７１に連通する部屋２０内に設けられ、プランジャ４を駆動するプランジャ駆動部材３０と、ハウジング孔７１であって部屋２０側の位置に設けられ、プランジャ４を軸方向摺動可能に支持するガイド部材８と、ハウジング孔７１から部屋２０への作動液の漏出をシールするシール部材５とシール部材５に接することでこのシール部材５を係止するバックアップ部材６とを備え、プランジャ４の往復運動によって吸込弁ＩＮおよび吐出弁ＯＵＴが選択的に開閉されることで作動液を吸い込み、吐出するプランジャポンプにおいて、ガイド部材８のみによって、プランジャ４の軸方向往復運動を支持することとした。
【００２８】
これにより、異音や摩耗を低減したプランジャポンプを提供することにある。
【実施例２】
【００２９】
実施例２につき図５に基づき説明する。基本構成は実施例１と同様である。実施例１ではバックアップ部材６をシール部材５の両脇に設けたが、実施例２ではｘ軸正方向側のみに設け、ｘ軸負方向側のバックアップ部材６を省略する分ガイド部材８をｘ軸正方向側に延長する点で異なる。この実施例２においても、上述の式（ア）の関係を満たすことにより、実施例１と同様の作用効果を得ることができる。
【実施例３】
【００３０】
実施例３につき図６に基づき説明する。基本構成は実施例１と同様である。実施例３ではガイド部材８を省略し、ハウジング孔７１のｘ軸負方向側に設けられたガイド部７２によってプランジャ４をガイドする。また、実施例３ではシリンダ２のｘ軸負方向側に円環状のフィルタ３が設けられている。
【００３１】
実施例３においても、このガイド部７２の径およびガイド部７２とプランジャ４とのクリアランスを実施例１のガイド部材８と同様に規定し、上述の式（ア）の関係を満たすことにより実施例１と同様の作用効果を得ることができる。
【００３２】
さらに、上記各実施例から把握しうる請求項以外の技術的思想について、以下にその効果とともに記載する。
【００３３】
（イ）請求項１に記載のプランジャポンプにおいて、
前記ハウジング孔内にはシリンダ部材が配置され、
前記ガイド部材は前記シリンダに位置決めされる一方、前記プランジャの胴部と前記シリンダ間のクリアランスは、前記プランジャ胴部と前記ガイド部材の間のクリアランスよりも大きいこと
を特徴とするプランジャポンプ。
【００３４】
シリンダに対してガイド部材とピストンが位置決めされるため、同軸度が出しやすく、よりピストンとシリンダとの摺接を抑制することができる。
【図面の簡単な説明】
【００３５】
【図１】実施例１におけるプランジャポンプの軸方向断面図である。
【図２】プランジャ４の寸法を示す図である。
【図３】本願プランジャ４の上死点における傾斜を示す図である。
【図４】従来例プランジャ４の傾斜を示す図である。
【図５】実施例２におけるプランジャポンプの軸方向断面図である。
【図６】実施例３におけるプランジャポンプの軸方向断面図である。
【符号の説明】
【００３６】
１    プラグ
２    シリンダ
３    フィルタ
４    プランジャ
５    シール部材
６    バックアップ部材
７    ハウジング
８    ガイド部材
１０    ポンプ組立体
１１    台座
２０    部屋
２１〜２３    スプリング
２５    径方向貫通孔
３０    プランジャ駆動部材
４    プランジャ
４１    軸方向連通孔
４２    径方向貫通孔
５１    スプリング台座部
５２    シールリング
７１    ハウジング孔
ＩＮ    吸込弁
ＯＵＴ    吐出弁
【図１】
2008215329.tif 000003
【図２】
2008215329.tif 000004
【図３】
2008215329.tif 000005
【図４】
2008215329.tif 000006
【図５】
2008215329.tif 000007
【図６】
2008215329.tif 000008